(57)【要約】【課題】２個のチューナとデジタル復調器とその間の伝送線路とを配線基板上にコンパクトに配設できると共に、両伝送線路をほぼ等長で短く設定できる放送受信装置を提供すること。【解決手段】配線基板１０上に第１のチューナ１１と第２のチューナ１２を平面視Ｌ字状の配置で実装し、両チューナ１１，１２によって２辺が仕切られる方形領域２０にＭＰＥＧデコーダ１５を実装する。アンテナ等から第１のチューナ１１の入力コネクタ１１ａに入力された放送信号は、チューナ部１０１と出力コネクタ１１ｂとに分配される。出力コネクタ１１ｂから第２のチューナ１２の入力コネクタ１２ａに入力された放送信号は、チューナ部１０２と外部機器用の出力コネクタ１２ｂとに分配される。各チューナ１１，１２の端子部から出力された放送信号は、それぞれ伝送線路１６，１７を介してＭＰＥＧデコーダ１５に供給される。【選択図】図１
2008205602.tif 000002
【特許請求の範囲】
【請求項１】
配線基板上にデジタル放送受信用の第１のチューナと第２のチューナを平面視Ｌ字状の配置で実装し、分配手段の入力コネクタを介して入力される放送信号が前記第１および第２のチューナに分配されるように接続すると共に、前記配線基板上で前記第１および第２のチューナによって２辺が仕切られる方形領域にデジタル復調器を実装し、このデジタル復調器に前記第１および第２のチューナから放送信号が供給されるように配線したことを特徴とする放送受信装置。
【請求項２】
請求項１の記載において、前記第１のチューナが前記分配手段を含み、この第１のチューナの長手方向の一端面に前記入力コネクタが突設されていると共に、この第１のチューナの前記入力コネクタ近傍の側面に出力コネクタが突設されており、かつ前記第２のチューナの長手方向の一端面に、前記出力コネクタに接続される第２入力コネクタが突設されていることを特徴とする放送受信装置。
【請求項３】
請求項２の記載において、前記第２のチューナが前記第２入力コネクタを介して入力された放送信号を分配する第２分配手段を含み、この第２のチューナの前記第２入力コネクタ近傍の側面に分配された放送信号を外部機器へ出力するための第２出力コネクタが突設されていることを特徴とする放送受信装置。
【請求項４】
請求項１〜３のいずれか１項の記載において、前記デジタル復調器がＭＰＥＧデコーダであることを特徴とする放送受信装置。
【発明の詳細な説明】
【技術分野】
【０００１】
本発明は、配線基板上にデジタル放送受信用のチューナが２個配設されているデジタルビデオデッキ等の放送受信装置に関する。
【背景技術】
【０００２】
アンテナ等から入力された放送信号の中から特定の放送番組を選択して復調器へ出力するチューナがビデオデッキ等の放送受信装置に２個内蔵されていると、同じ時間帯に視聴したい番組が２種類放送されていても対応できるため便利である。このように２個のチューナを備えた放送受信装置では、通常、両チューナを内蔵している筐体の一側面に入力コネクタが複数突設されており、これらのコネクタを介して各チューナに放送信号が入力されるようになっている（例えば、特許文献１参照）。
【０００３】
ところで、近年、デジタル放送受信用のチューナを２個内蔵して２種類の放送番組を同時に録画できるようにしたデジタルビデオデッキが普及しつつある。かかるデジタルビデオデッキでは、ほぼ同じ機能を有する２個のチューナと、これら両チューナから放送信号が供給されるＭＰＥＧデコーダ等のデジタル復調器とが、共通の配線基板上に実装されており、アンテナ等から入力された放送信号は分配器等によって各チューナに分配されるようになっている。
【０００４】
図３はこの種のデジタルビデオデッキにおいて一般的な両チューナとデジタル復調器の配線基板上での位置関係を示す模式平面図である。同図に示すように、配線基板１０上において第１のチューナ１と第２のチューナ２は互いに平行に配置され、第１のチューナ１の入力コネクタ１ａと第２のチューナ２の入力コネクタ２ａがそれぞれ、分配器３の出力コネクタ３ｂと出力コネクタ３ｃに接続されている。分配器３には、アンテナ等から放送信号が入力される入力コネクタ３ａが出力コネクタ３ｂ，３ｃと逆向きに突設されていると共に、入力コネクタ３ａと同じ向きに外部機器用の出力コネクタ３ｄが突設されている。この分配器３は入力コネクタ３ａに供給された放送信号を出力コネクタ３ｂ〜３ｄに分配するというものである。すなわち、分配器３によって分配された放送信号が、コネクタ３ｂ，１ａを介して第１のチューナ１に供給され、かつコネクタ３ｃ，２ａを介して第２のチューナ２に供給され、かつコネクタ３ｄを介してテレビジョン受像機等の外部機器へ供給されるようになっている。また、配線基板１０上には両チューナ１，２を長手方向に延長した領域にＭＰＥＧデコーダ等のデジタル復調器４が実装されており、このデジタル復調器４と各チューナ１，２の端子群との間にそれぞれ伝送線路５，６がパターニングされている。そして、第１のチューナ１で選択された放送信号が伝送線路５を介してデジタル復調器４へ出力され、同様に第２のチューナ２で選択された放送信号が伝送線路６を介してデジタル復調器４へ出力されて、それぞれ所望のデジタル信号に変換されるようになっている。
【０００５】
なお、デジタル復調器４は両チューナ１，２からほぼ等距離の位置にあって、チューナ１用の伝送線路５とチューナ２用の伝送線路６は図３に示すように略線対称なレイアウトでパターニングされているため、両伝送線路５，６はほぼ等長である。したがって、どちらのチューナ１，２を使用してもデジタル復調器４へ供給される信号の減衰の度合いは同等であり、それゆえ、いずれか一方のチューナを使用すると品位が劣化するという不具合は起こらない。
【特許文献１】特開２００６−６０４７４号公報（第１０頁、図１３）
【発明の開示】
【発明が解決しようとする課題】
【０００６】
図３に示す従来例では、２個のチューナ１，２が互いに平行に配置されていると共に、両チューナ１，２を長手方向に延長した領域にデジタル復調器４が配置されているため、チューナ１用の伝送線路５とチューナ２用の伝送線路６とが略線対称にパターニングでき、こうすることで両伝送線路５，６の長さの相違に起因する品位の差が生じないように配慮されている。しかしながら、両チューナ１，２を長手方向に延長した領域にデジタル復調器４を配置させて、両伝送線路５，６を略線対称にパターニングするためには、配線基板１０上に広いスペースが必要となるので、図３に示す従来例では装置全体を小型化しにくいという問題があった。また、この従来例では伝送線路５，６の一部を長く引き回さなければならないため、信号の減衰という点でも改善の余地があった。
【０００７】
そこで図４に示すように、デジタル復調器４を一方のチューナ（例えばチューナ２）の側方に配置させることによって、このチューナから導出される伝送線路（例えば伝送線路６）の長さを短くすることが考えられるが、こうすると両伝送線路５，６の長さが大きく異なってしまうため、使用するチューナによって品位が大きく異なってしまうという別の問題が発生する。また、この場合、他方のチューナから導出される伝送線路（例えば伝送線路５）の一部を不所望に長く引き回さなければならないため、信号が大きく減衰する虞がある。
【０００８】
本発明は、このような従来技術の実情に鑑みてなされたもので、その目的は、２個のチューナとデジタル復調器とその間の伝送線路とを配線基板上にコンパクトに配設できると共に、両伝送線路をほぼ等長で短く設定できる放送受信装置を提供することにある。
【課題を解決するための手段】
【０００９】
上記の目的を達成するために、本発明の放送受信装置では、配線基板上にデジタル放送受信用の第１のチューナと第２のチューナを平面視Ｌ字状の配置で実装し、分配手段の入力コネクタを介して入力される放送信号が前記第１および第２のチューナに分配されるように接続すると共に、前記配線基板上で前記第１および第２のチューナによって２辺が仕切られる方形領域にデジタル復調器を実装し、このデジタル復調器に前記第１および第２のチューナから放送信号が供給されるように配線した。
【００１０】
このように第１のチューナと第２のチューナを略直角な位置関係で配置させ、かつ両チューナで仕切られる内側の方形領域にデジタル復調器を配置させるというレイアウトを採用すると、第１および第２のチューナから導出されてデジタル復調器に接続される伝送線路も方形領域にパターニングできるため、これらすべてを配線基板上にコンパクトに配設するという省スペース化を実現できる。また、第１のチューナ用の伝送線路と第２のチューナ用の伝送線路をほぼ等長に形成することは容易なので、どちらのチューナを使用しても品位に差が生じないように設定できる。また、各伝送線路の長さが短くなるため、信号の減衰も抑制できる。
【００１１】
上記の構成において、分配手段が単体の分配器であってもよいが、第１のチューナが分配手段を含み、この第１のチューナの長手方向の一端面に分配前の放送信号が入力される入力コネクタが突設されていると共に、この第１のチューナの前記入力コネクタ近傍の側面に出力コネクタが突設されており、かつ第２のチューナの長手方向の一端面に、前記出力コネクタに接続される第２入力コネクタが突設されていると、単体の分配器を用いることなく第１および第２のチューナを平面視Ｌ字状に配置させることができるため、部品点数を削減できて組立性が向上する。この場合において、第２のチューナが前記第２入力コネクタを介して入力された放送信号を分配する第２分配手段を含み、この第２のチューナの前記第２入力コネクタ近傍の側面に分配された放送信号を外部機器へ出力するための第２出力コネクタが突設されていると、前記入力コネクタに入力される放送信号を第１のチューナと第２のチューナと外部機器とに分配できるようになる。
【発明の効果】
【００１２】
本発明の放送受信装置は、配線基板上に、第１のチューナと第２のチューナを平面視Ｌ字状に配置させ、かつ両チューナで仕切られる内側の方形領域にデジタル復調器を配置させるというレイアウトを採用しているため、第１および第２のチューナから導出されてデジタル復調器に接続される伝送線路も方形領域にパターニングできる。それゆえ、これらすべてを配線基板上にコンパクトに配設するという省スペース化を実現できて、装置全体の小型化を促進できる。また、第１のチューナ用の伝送線路と第２のチューナ用の伝送線路をほぼ等長に形成することは容易なので、どちらのチューナを使用しても品位に差が生じないように設定できる。また、各伝送線路の長さが短くなるため、信号の減衰も抑制できる。
【発明を実施するための最良の形態】
【００１３】
発明の実施の形態を図面を参照して説明すると、図１は本発明の実施形態例における２個のチューナとＭＰＥＧデコーダの配線基板上での位置関係を示す模式平面図であり、これら両チューナとＭＰＥＧデコーダはデジタルビデオデッキ等の放送受信装置に組み込まれている。
【００１４】
図１において、第１のチューナ１１と第２のチューナ１２はいずれもデジタル放送受信用のチューナである。第１のチューナ１１には長手方向の一端面に入力コネクタ１１ａが突設されていると共に、入力コネクタ１１ａ近傍の側面に出力コネクタ１１ｂが突設されており、入力コネクタ１１ａにはアンテナ等から放送信号が入力される。また、第２のチューナ１２には長手方向の一端面に入力コネクタ１２ａが突設されていると共に、入力コネクタ１２ａ近傍の側面に出力コネクタ１２ｂが突設されており、出力コネクタ１２ｂはテレビジョン受像機等の外部機器に接続可能である。これら両チューナ１１，１２は配線基板１０上に平面視Ｌ字状の配置（略直角な位置関係）で実装されており、第１のチューナ１１の出力コネクタ１１ｂに第２のチューナ１２の入力コネクタ１２ａが接続されている。第１のチューナ１１には長手方向の一端部に分配器１３が内蔵されており、この分配器１３によって、入力コネクタ１１ａに入力された放送信号が増幅されて該チューナ１１の本体部分（チューナ部１０１）と出力コネクタ１１ｂとに分配されるようになっている。また、第２のチューナ１２の長手方向の一端部にも分配器１４が内蔵されており、この分配器１４によって、入力コネクタ１２ａに入力された分配後の放送信号が該チューナ１２の本体部分（チューナ部１０２）と出力コネクタ１２ｂとに分配されるようになっている。すなわち、アンテナ等から入力コネクタ１１ａに入力された放送信号が、分配器１３，１４によってチューナ部１０１とチューナ部１０２とテレビジョン受像機等の外部機器とに供給されるようになっている。
【００１５】
また、配線基板１０上には第１および第２のチューナ１１，１２によって２辺が仕切られる方形領域２０、つまり両チューナ１１，１２で仕切られる内側の方形領域２０に、ＭＰＥＧ（Moving Picture Experts Groop）デコーダ１５が実装されている。このＭＰＥＧデコーダ１５はデジタル復調器であって、各チューナ１１，１２の端子群からそれぞれ導出された伝送線路１６，１７が方形領域２０内を引き回されてＭＰＥＧデコーダ１５に接続されている。そして、第１のチューナ１１のチューナ部１０１で選択された放送信号が伝送線路１６を介してＭＰＥＧデコーダ１５へ出力され、同様に第２のチューナ１２のチューナ部１０２で選択された放送信号が伝送線路１７を介してＭＰＥＧデコーダ１５へ出力されて、それぞれ所望のデジタル信号に変換されるようになっている。
【００１６】
このように本実施形態例では、配線基板１０上に第１のチューナ１１と第２のチューナ１２を平面視Ｌ字状に配置させると共に、両チューナ１１，１２で仕切られる内側の方形領域２０にＭＰＥＧデコーダ１５を配置させるというレイアウトを採用しており、各チューナ１１，１２から導出されてＭＰＥＧデコーダ１５に接続される伝送線路１６，１７も方形領域２０にパターニングされている。それゆえ、これらすべて（チューナ１１，１２とＭＰＥＧデコーダ１５と伝送線路１６，１７）を配線基板１０上にコンパクトに配設するという省スペース化が実現されており、装置全体の小型化が促進しやすくなっている。また、第１のチューナ１１用の伝送線路１６と第２のチューナ１２用の伝送線路１７をほぼ等長に形成することが容易なので、どちらのチューナを使用しても品位に差が生じないように設定できる。また、各伝送線路１６，１７の長さが短くなるため、信号の減衰も抑制できる。
【００１７】
また、本実施形態例では、第１のチューナ１１と第２のチューナ１２にそれぞれ分配器１３と分配器１４が内蔵されているため、単体の分配器を用いることなく両チューナ１１，１２を平面視Ｌ字状に配置させることができる。それゆえ、部品点数を削減できて組立性も良好である。
【００１８】
ただし、図２に示すように、アンテナ等から放送信号が入力される図示上向きの入力コネクタ３０ａと、第１のチューナの入力コネクタに接続される図示下向きの出力コネクタ３０ｂと、第２のチューナの入力コネクタに接続される図示横向きの出力コネクタ３０ｃと、外部機器に接続される図示上向き出力コネクタ３０ｄとを備えた分配器３０を用いれば、両チューナとＭＰＥＧデコーダを図１とほぼ同等のレイアウトで配線基板上に実装することができる。
【００１９】
なお、本発明が、２個のチューナを備えたデジタルビデオデッキ以外の放送受信装置にも適用できることは言うまでもない。
【図面の簡単な説明】
【００２０】
【図１】本発明の実施形態例における２個のチューナとＭＰＥＧデコーダの配線基板上での位置関係を示す模式平面図である。
【図２】本発明の他の実施形態例に係る分配器の説明図である。
【図３】従来技術を示す説明図である。
【図４】他の従来技術を示す説明図である。
【符号の説明】
【００２１】
１０  配線基板
１１  第１のチューナ
１１ａ  入力コネクタ
１１ｂ  出力コネクタ
１２  第２のチューナ
１２ａ  入力コネクタ（第２入力コネクタ）
１２ｂ  出力コネクタ（第２出力コネクタ）
１３  分配器（分配手段）
１４  分配器（第２分配手段）
１５  ＭＰＥＧデコーダ（デジタル復調器）
１６，１７  伝送線路
２０  方形領域
３０  分配器
３０ａ  入力コネクタ
１０１，１０２  チューナ部
【図１】
2008205602.tif 000003
【図２】
2008205602.tif 000004
【図３】
2008205602.tif 000005
【図４】
2008205602.tif 000006